(57)【特許請求の範囲】
【請求項１】
前面の上方に遊技領域が設置され、その遊技領域の下側に供給皿が突設されているとともに、供給皿の下側に、貯留皿が、遊技球通路を介して供給皿と連通するように突設されており、遊技球払出装置により前記供給皿及び貯留皿に遊技球を払い出し可能とするとともに、前記遊技球通路が、球抜き通路と、上開口部、前開口部、及び後開口部を備え、前記上開口部を介して前記球抜き通路に連通された状態で設置されたバケツ部材とからなるパチンコ機であって、
前方に前記貯留皿が、後方に前記バケツ部材が夫々位置する基板部材を設け、前記基板部材に、前記遊技球通路の出口となる開口を設け、さらに当該開口周囲の上半部に、正面視逆Ｕ字状となる樋上側部を後方へ突設する一方、
前記貯留皿の後部に、球通路樋を、後方へ突出するように一体的に設けるとともに、前記球通路樋を、前記開口へ前方から差し込んだ際に前記樋上側部と側面の端部同士が当接可能な正面視Ｕ字状に形成し、
前記樋上側部及び前記開口へ差し込まれた状態にある前記球通路樋を前記バケツ部材の前開口部に嵌入させた状態で前記貯留皿を設置するとともに、前記後開口部に前記貯留皿と前記遊技球払出装置とを連結する通路を接続することを特徴とするパチンコ機。
【発明の詳細な説明】
【０００１】
【発明の属する技術分野】
本発明は、パチンコ機に関する。
【０００２】
【従来の技術】
図８および図９に示す従来のパチンコ機８１は、周囲に機枠８２を有しており、機枠８２には、ミドル枠８４が、内部に位置するように片開き自在に枢着されている。ミドル枠８４の下端縁以外の部位には、開口した状態の後方への没入部９８が形成されており、没入部９８の上部には、遊技盤８５が装着されている。遊技盤８５の前面には、障害釘や入賞装置などを搭載した円形の遊技領域８６が形成されている。なお、ミドル枠８４の片側縁には、遊技領域８６の前方を覆うように、ガラス板８７を備えた前枠８８が、片開き自在に枢着されている。
【０００３】
また、没入部９８の下部には、レール板９４が装着されている、レール板９４には、供給皿８９の通路部８０と連通した、発射レールや球抜き通路９５などが形成されている。一方、ミドル枠８４の下端縁は、前方へ箱状に突出したカバー部９９として形成されており、後側に、発射レール上の遊技球を発射可能な発射装置９７と、前後および上が開口されたバケツ部材９６とを備えている。さらに、レール板９４の前側には、遊技球幅の通路部８０と球抜きレバー８３とを備えた供給皿８９が、前枠８８と同様に枢着されており、カバー部９９の前側には、貯留皿９３がネジ止めされている。なお、貯留皿９３と、灰皿９１と、発射装置９７に連結される発射ハンドル９２とは、一体的に取り付けられている。
【０００４】
遊技者は、供給皿８９上に遊技球を乗せることにより、通路部８０を介して、発射レール９４に遊技球を一列に送って下端に１個ずつ乗せ置くことができ、さらに発射ハンドル９２を操作することにより、発射レール９４上の遊技球を、遊技領域８６に向けて発射することができる。また、球抜きレバー８３の押下により、通路部８０内のガイド部材（図示せず）が引き込み、球抜き孔（図示せず）が露出するので、遊技球を、球抜き孔際の球抜き通路９５上端に導出させることができる。さらに、球抜き通路９５の下端は、バケツ部材９６の上開口部と当接し、バケツ部材９６は貯留皿９３の上後側に位置しており、遊技者は、球抜きレバー８３を押下することにより、通路部８０、球抜き通路９５およびバケツ部材９６を介して、遊技球を貯留皿９３に送ることができる。
【０００５】
【発明が解決しようとする課題】
パチンコ機８１は、貯留皿９３を、後面がカバー部９９の前面に当接した状態でネジ止めすることによって備えているため、遊技者が体重をかけるなど、貯留皿９３に強い力が作用した場合には、ネジ止めした部分近傍にほとんど全ての負荷が加わり、ネジが抜けたりカバー部９９が変形したりして貯留皿９３が外れてしまい、供給皿８９と貯留皿９３との球抜き通路９５やバケツ部材９６などを介した連通状態が保たれない可能性があった。
【０００６】
よって、本発明の課題は、貯留皿が分離する事態を防止し、球抜き通路やバケツ部材と貯留皿との連通状態を保持するパチンコ機を提供することにある。
【０００７】
【課題を解決するための手段】
本発明は、前面の上方に遊技領域が設置され、その遊技領域の下側に供給皿が突設されているとともに、供給皿の下側に、貯留皿が、遊技球通路を介して供給皿と連通するように突設されており、遊技球払出装置により前記供給皿及び貯留皿に遊技球を払い出し可能とするとともに、前記遊技球通路が、球抜き通路と、上開口部、前開口部、及び後開口部を備え、前記上開口部を介して前記球抜き通路に連通された状態で設置されたバケツ部材とからなるパチンコ機であって、前方に前記貯留皿が、後方に前記バケツ部材が夫々位置する基板部材を設け、前記基板部材に、前記遊技球通路の出口となる開口を設け、さらに当該開口周囲の上半部に、正面視逆Ｕ字状となる樋上側部を後方へ突設する一方、前記貯留皿の後部に、球通路樋を、後方へ突出するように一体的に設けるとともに、前記球通路樋を、前記開口へ前方から差し込んだ際に前記樋上側部と側面の端部同士が当接可能な正面視Ｕ字状に形成し、前記樋上側部及び前記開口へ差し込まれた状態にある前記球通路樋を前記バケツ部材の前開口部に嵌入させた状態で前記貯留皿を設置するとともに、前記後開口部に前記貯留皿と前記遊技球払出装置とを連結する通路を接続することを特徴とする。
【０００８】
【発明の実施の形態】
以下、本発明の実施形態につき、図面に基づいて説明する。図１および図２はパチンコ機の前部の説明図であって、パチンコ機１には、外枠２が周設されており、外枠２には、連結部３と本体枠連結金具４とが左側縁上下に取り付けられている。連結部３と本体枠連結金具４とには、表枠５とミドル枠６と機構板（図示せず）とが層状に組み合わせられた本体枠が、外枠２の内側および前側に位置するように、片開き自在に枢着されている。
【０００９】
表枠５は、ミドル枠６の前面と一体の、外枠２の前面に沿った薄板７、および、薄板７前面に位置する、前枠１０と、供給皿２０を備えた中扉１１と、貯留皿３０を備えた下側機能部１２とからなる。薄板７の左端部より内側には、中扉連結金具１３が取り付けられている。
【００１０】
また、ミドル枠６は、上部が落とし込み形成され、その上半部には、遊技盤（図示せず）が設置されており、下半部には、発射レール（図示せず）を備えたレール板（図示せず）が設置されている。遊技盤前面には、障害釘、入賞装置、図柄表示部、外レールおよび内レールなどを配した、円形の遊技領域（図示せず）が形成されている。また、発射レールは、遊技領域の外レールと内レールとの間の方へ向いたスロープ状に形成されており、発射レールの上端と、外レールおよび内レールの下端とは、間隔を開けて配置されている。さらに、レール板上であって、上記間隔の下方には、上方に開口したスロープ状のファウル球通路（図示せず）が形成されている。またさらに、レール板内には、末端以外の遊技球通路としての球抜き通路（図示せず）が形成されている。球抜き通路の上端は、供給皿２０後方において、前方に開口するように形成されている。なお、ファウル球通路は、後述の溢れ球通路と連通している。
【００１１】
一方、ミドル枠６の下部であって、貯留皿３０の後方にあたる部分には、球通路孔８が穿設されており、球通路孔８の後側には、遊技球通路の末端としてのバケツ部材４９（図７）が固着されている。バケツ部材４９は、前後および上にそれぞれ開口部７７，７８，７９を有しているとともに、前開口部７７の両側に、固着片６６を備えている。また、後開口部７８は、後面の上部に位置するように形成されている。そして、球抜き通路の下端は、バケツ部材４９の上開口部７９へ、下側が開口した下端を当接するように配置されている。下端の開口部は、上開口部と合致している、なお、球抜き通路は、スロープ状に形成されている。
【００１２】
くわえて、薄板７後側であって、球抜き通路の右下には、発射装置（図示せず）が、前部を露出した状態で取り付けられている。発射装置は、発射レール下端の遊技球を弾く。弾かれた遊技球は、発射レールの方向に沿って、ファウル球通路の上開口部を越え、外レールと内レールの間の下端まで達するように飛ぶ。なお、ミドル枠６は、前面左辺中央に連結金具１５を有しているとともに、下部周端縁には、ネジ孔９ｂ，９ｂ・・が、所定間隔を保って配設されている。
【００１３】
また、機構板には、遊技球タンクや遊技球払出装置、またそれらや、供給皿２０、貯留皿３０などを連結する通路、さらにパチンコ機の動作を制御する制御装置などの内部機構が形成もしくは搭載されている。このうちの貯留皿３０と遊技球払出装置とを連結する通路である払出通路の一部（溢れ球通路）は、下端に形成された前開口部をバケツ部材４９の後開口部７８に合致させることによって、球通路孔８と連通している。なお、溢れ球通路の上端は、供給皿２０と遊技球払出装置とを連結する通路の、遊技球払出装置側の端縁に設けられた隙間の下側に配置されている。
【００１４】
前枠１０は、遊技領域大の開口部を備えた枠であって、連結部３と連結金具１５の左半部とを介して、開口部が遊技領域を囲むように片開き自在に枢着されている。各枢着部の前部は、半円錐状の膨出部１６，１６とされている。また、前枠１０の開口部には、開口部と相似の輪状のランプ飾り１７が嵌め込まれている。ランプ飾り１７は、各サイド部に、一体成形された点灯可能な透光窓１８を有している。さらに、前枠１０は、後側に、ガラス板１９を具備したガラス枠１４を備えている。なお、前枠１０の左端際上下前面には、デザインと取り付け強度とを向上する観点から、円錐状の膨出部１６，１６が設けられている。
【００１５】
中扉１１は、箱状の部材であって、連結金具１５の右半部と中扉連結金具１３とを介して、前枠１０の下側において片開き自在に枢着されている。さらに、中扉１１は、左側が半円状に突出し右側が遊技球と同寸の奥行きとされた供給皿２０と、ＣＲ操作部２１と、球抜きレバー２２とを備えている。供給皿２０の右側奥は、発射レールの下端と連通しており、遊技球を１個ずつ送り込めるようになっている。また、供給皿２０の右側奥には、ガイド板（図示せず）によって開閉自在とされた球抜き孔（図示せず）が設けられており、球抜き孔は、球抜き通路の上端と連通している。なお、球抜きレバー２２を押下することにより、ガイド板が引き込まれて球抜き孔が開口する。
【００１６】
一方、図３から図６に示す下側機能部１２は、前方基板２３および後方基板２４と、貯留皿３０、灰皿３１および発射ハンドル３２とからなる。
【００１７】
前方基板２３は、前方本体部２５と、前方本体部２５の両脇に延設された前方支持部２６，２６とからなる。前方本体部２５は、水平な上面４０および下面４１（図６）と、供給皿２０左側表面に対して同形状で下側に位置する左側面４２と、前端縁を左側に回り込ませた上、下部に円筒面状のハンドル逃げ部３３を形成した右側部とを有している。ハンドル逃げ部３３の右方には、右側部４３側面と下面４１との延長面で包囲される領域の右下部に、発射ハンドル３２とほぼ同径の円盤部を付加した形状の前面を有するハンドル取り付け基部３６が、前枠１０や中扉１１の基部に対して若干突出するように形成されており、その円盤部中央には、操作ハンドル３２を挿入する前方挿通孔３８が形成されている。
【００１８】
また、上面４０は、供給皿２０の下面と同形状とされており、後端縁には、嵌入孔３４，３４・・が配設されている。さらに、前方本体部２５内部であって、上面４０と左側面４２と右側部４３左端との前部には、断面逆Ｕ字状の補強部４４が、リブ４６，４６・・を介して、前辺を上面４０の前辺と連結した状態で添設されている（図６）。補強部４４の上部中央には、切り欠き４５が凹設されている。
【００１９】
くわえて、下面４１は、各前方支持部２６下面およびハンドル取り付け基部３６下部と連続した支持部連結面５５と、支持部連結面５５より前方かつ上方に位置する載置面５８とに分かれており、支持部連結面５５には、嵌入孔３４，３４・・が横設されているとともに、左端部に金具逃げ部３５が形成されている。一方、載置面５８は、前辺右側が円弧状に形成され、前辺左側が後方に凹むように形成されている。また、載置面５８の右側は開口されており、その開口部の前辺には、爪５６，５６が、後方に突設されている。さらに、載置面５８の左側の凹み部分周辺は若干下方に落とし込まれている。くわえて、載置面５８の前辺全てを基部として、補強部４４と連続した壁部３９が立設されている。すなわち、壁部３９は、右側が円弧状として、左側が凹んだ形状として、さらにそれらの間が左右方向に延びる鉛直面として、形成されている。また、壁部３９中央下後方には、下ガイド４７が前後に渡されている。
【００２０】
また、右側の前方支持部２６は、下半部が前方本体部２５の右側部４３と連続し、上半部が前方本体部２５から突出した、前枠１０や中扉１１の基部と同じ奥行きを有する、後面と左側面下半部を開放した箱形部分であって、左側面が前方本体部２５の上面４０と連続され、さらに前面と右側面との角が取られている。一方、左側の前方支持部２６は、下半部が前方本体部２５側へ若干長く延長され、上半部の上端前面が円錐状の膨出部２７とされている他は、右側の前方支持部２６と同様に形成されている。
【００２１】
一方、後方基板２４は、後方本体部２８と、後方本体部２８の両脇に延設された後方支持部２９，２９とからなる。後方本体部２８は、補強部４４後側に当接する上面７１および左右側面７２，７３と、中央に仕切り５２を突設し、仕切り５２と左側面７２との間に灰皿後壁５３を形成した後面７４と、各後方支持部２９と共通する、後面後側の下面７６とで形成されている。灰皿後壁５３の後側上部には、補強用のリブ５７が、上面７１へ渡されている（図６）。また、右側面７３下部には、溝５９が前後に形成されている。さらに、後面７４上であって仕切り５２右側の部分には、球通路出口５４が形成されている。くわえて、球通路出口５４の後側周囲の上半部には、断面逆Ｕ字状の樋上側部６４が、後方に突出されている。なお、仕切り５２の下面には、逆Ｔ字状の溝体（図示せず）が突設されている
【００２２】
くわえて、右側の後方支持部２９は、補強のためリブ５１，５１・・を配した前方開口状であり、下半部が、後方挿通孔４８を備えた状態で、ハンドル取り付け基部３６程度、前方支持部２６より肉厚分短い奥行きにて延設されており、上半部が前方支持部２６より肉厚分短く突出している。一方、左側の後方支持部２９は、前方開口状である他は左側の前方支持部２６と同様に形成されている。なお、後方本体部２８の上下面７１，７６および各後方支持部２９の突出部内側には、突起５０，５０・・が、嵌入孔３４，３４・・と対応するように配置されている。
【００２３】
また、貯留皿３０は、貯留皿本体６０と、下カバー６１と、レバー６２とからなる。貯留皿本体６０は、左側に、切り込みを有する水平な固定片６３を備え、右側に、前後を向いた皿ガイド７０を備えているとともに、後部に、断面Ｕ字状で樋上側部６４と同厚の球通路樋６５を、両側面が下面よりも後方に突出した状態で備えている。下カバー６１は、貯留皿本体６０の下面に水平に付設される板状部材で、前方に孔６９，６９が横設されている。また、貯留皿本体６０と下カバー６１との中央には、円柱形の球出し孔６７，６７が上下に並設されている。さらに、下カバー６１の下面であって、球出し孔６７の前方には、円柱状の軸６８が下方に突設されている。レバー６２は、貯留皿本体６０と下カバー６１とによって挟持される板片で、上面の前部に突設された円筒状の軸受７５が、軸６８を受け入れることにより、球出し孔６７，６７を開閉するように回動可能とされている。
【００２４】
下側機能部１２は、貯留皿３０を載置した前方基板２３に、後方から後方基板２４を嵌合させた上、前方基板２３のネジ孔９ａ，９ａ・・を、ミドル枠６のネジ孔９ｂ、９ｂ・・と合わせた状態でネジ止めすることによって、パチンコ機１下部に固着されている。このとき、貯留皿３０後部の球通路樋６５は、球通路出口５４に前方から通されているとともに、両側面の上端全体が樋上側部６４の両側面の下端全体に当接している。
【００２５】
また、固定片６３は、仕切り５２下部の溝体に、前方からスライド挿入することによって係止され、さらに壁体３９の中央部に載置されている。またさらに、皿ガイド７０が、後方本体部２８の右側面７３の溝５９にスライド挿入されている。くわえて、下カバー６１が、下ガイド４７上に位置しており、前方本体部２５の載置面５８の開口部のうち、下ガイド４７より右側を塞いでいる。また、載置面５８の各爪５６が、下カバー６１前部の対応する孔６９に嵌入している。さらに、レバー６２の前部が、壁部３９の下側に露出している。
【００２６】
さらに、前方支持部２６，２６が、中扉１１の両側に配置されており、前方本体部２５の上面４０が、中扉１１の下面と接している。そして、球通路樋６５は、樋上側部６４とともに、球通路孔８後側に位置した遊技球通路の末端としてのバケツ部材４９に、前開口部７７とミドル枠６の球通路孔８とを介して嵌入されている。このとき、バケツ部材４９の後開口部７８の下辺が、球通路樋６５の下側部上面より若干上方に位置している。
【００２７】
なお、壁部３９の左側の凹みには、灰皿３１が載置されている。また、各挿通孔３８，４８には、発射ハンドル３２が、発射装置と連結した状態で設けられている。さらに、後方基板２４の各爪５０は、前方基板２３の対応する嵌入孔３４に嵌入している。
【００２８】
以上のようなパチンコ機にあっては、発射ハンドル３２を回して発射装置を操作することにより、供給皿２０から供給された発射レール下端の遊技球を遊技領域へ打ち込める一方、レバー６２前部を回動させることによって、球出し孔６７を開放して貯留皿３０上の遊技球を下方に出すことができ、また供給皿２０と貯留皿３０とが、球抜き通路とバケツ部材４９とからなる遊技球通路を介して互いに連通しているとともに、球抜きレバー２２を押して、球抜き孔を開口状態とすることにより、供給皿２０右側からの遊技球が、遊技球通路の上端に導かれるので、供給皿２０の遊技球が貯留皿３０に到達するようにできるが、さらに、貯留皿３０の後部に設けられた球通路樋６５が、樋上側部６４とともに、遊技球通路の下端際のバケツ部材４９に、前開口部７７とミドル枠６の球通路孔８とを介して嵌合されているので、下側機能部１２に強い力が作用した場合、球通路樋６５と球通路孔８もしくはバケツ部材４９との嵌合部においても抗することができ、貯留皿３０の取り付け強度を効果的に向上して、貯留皿３０がパチンコ機１から分離する事態を防止することができる。しかも、万一下側機能部１２が若干の変形もしくは一部における分離を生じたとしても、貯留皿３０と遊技球通路との連通が保持され、遊技球が離散する事態を防止することができる。
【００２９】
なお、Ｕ字状の球通路樋６５上側には、逆Ｕ字状の樋上側部６４が、側面の端部を当接した状態で配置されているため、球通路樋６５の剛性が向上され、樋上側部６４とともに球通路孔８に嵌入されているため、貯留皿３０周りの強度がさらに向上する。また、バケツ部材４９の後開口部７８の下辺が、球通路樋６５の下側部上面より若干上方に位置しているため、溢れ球通路を通過した遊技球が球通路樋６５に移る際に停止してしまう可能性を低減し、スムーズに流れるようにすることができる。
【００３０】
くわえて、両前方支持部２６，２６には、面取りが施されているので、デザイン面で優れるし、遊技者の手などを傷つける事態を防止できる。また、ハンドル取り付け基部３６は、円盤部を付加したので、前方挿通孔３８を全周に亘って十分な奥行きを持って設けることができて発射ハンドル３２を十分確実に保持することができるし、さらにハンドル逃げ部３３の設置と相まって、新しいデザインを得ることができるし、発射ハンドル３２の先端が前方本体部２５の壁部３９より後方となるようにでき、万一パチンコ機１もしくは下側機能部１２が落下しても発射ハンドル３２が破損する事態を防止することができる。
【００３１】
なお、本発明は、上記実施形態に限定されるものではなく、次に一部示すように様々に変更可能である。球通路樋は、断面Ｕ字状で、断面逆Ｕ字状の樋上側部と合致される必要はなく、一体筒状であっても良いし、断面Ｕ字状の部分のみであっても良い。また、貯留皿３０は、球通路樋を備えていれば、前方基板と後方基板とに挟持される必要はなく、１つの基板に嵌入されても良いし、ミドル枠６に直に取り付けられても良い。さらに、球通路樋の後部は、下辺を前方に配置する形態に限られず、全て同鉛直面上に位置するようにしたり、下辺を後方に配置したりすることができる。また、バケツ部材の後開口部は後面の上部に設けられる必要はなく、さらには、遊技球通路の末端をバケツ部材によって構成する必要はない。
【００３２】
さらに、下側機能部は、支持部を有する必要はなく、直方体状もしくは板状とできるし、下側機能部の取り付けは、螺着によるものに限られず、リベットを用いたものなどとすることができる。またさらに、遊技球通路やファウル球通路などの通路の配置や設置態様は上記に限定されず、各通路が別々に貯留皿と連通していても良いし、各通路が、筒状部材を取り付けることによって形成されていても良い。そして、本発明は、前枠と中扉とが一体に形成されたものなど、他のタイプのパチンコ機にも適用することができるし、他の遊技機にも適用することができる。
【００３３】
【発明の効果】
本発明は、貯留皿の後部に、バケツ部材の前開口部に嵌入する球通路樋が設けられているので、貯留皿に強い力が作用したとしても、球通路樋によってパチンコ機の内部においても作用に抗することができ、貯留皿がパチンコ機から分離し、貯留皿と遊技球通路との連通が途絶える事態を、簡単な構成で効果的に防止することができる。
また、Ｕ字状の球通路樋は、逆Ｕ字状の樋上側部と側面の端部同士を当接した状態で配置されているため、球通路樋の剛性を向上することができる。さらに、球通路樋を樋上側部とともにバケツ部材の前開口部に嵌入しているため、貯留皿周りの強度を更に向上することができる。
【図面の簡単な説明】
【図１】パチンコ機の前部を示す説明図である。
【図２】パチンコ機の部分分解説明図である。
【図３】下側機能部の前側を示す説明図である。
【図４】下側機能部の後側を示す説明図である。
【図５】下側機能部の一部分解説明図である。
【図６】下側機能部の分解説明図である。
【図７】（ａ），（ｂ）ともに、バケツ部材の斜視説明図である。
【図８】従来例を示す説明図である。
【図９】従来例を示す説明図である。
【符号の説明】
１・・パチンコ機、２・・外枠、３・・連結部、４・・本体枠連結金具、５・・表枠、６・・ミドル枠、７・・薄板、８・・球通路孔、９ａ，９ｂ・・ネジ孔、１０・・前枠、１１・・中扉、１２・・下側機能部、１３・・中扉連結金具、１４・・ガラス枠、１５・・連結金具、１６，２７・・膨出部、１７・・ランプ飾り、１８・・透光窓、１９・・ガラス板、２０・・供給皿、２１・・ＣＲ操作部、２２・・球抜きレバー、２３・・前方基板、２４・・後方基板、２５・・前方本体部、２６・・前方支持部、２８・・後方本体部、２９・・後方支持部、３０・・貯留皿、３１・・灰皿、３２・・発射ハンドル、３３・・ハンドル逃げ部、３４・・嵌入孔、３５・・金具逃げ部、３６・・ハンドル取り付け基部、３８・・前方挿通孔、３９・・壁部、４０・・上面、４１・・下面、４２・・左側面、４３・・右側部、４４・・補強部、４５・・切り欠き、４６，５１・・リブ、４８・・後方挿通孔、４９・・バケツ部材、５０・・突起、５２・・仕切り、５３・・灰皿後壁、５４・・球通路出口、５５・・支持部連結面、５６・・爪、５７・・リブ、５８・・載置面、５９・・溝、６０・・貯留皿本体、６１・・下カバー、６２・・レバー、６３・・固定片、６４・・樋上側部、６５・・球通路樋、６６・・固着片、６７・・上球出し孔、６８・・軸、７０・・皿ガイド、７１・・上面、７２・・左側面、７３・・右側面、７４・・後面、７５・・軸受、７６・・下面、７７・・前開口部、７８・・後開口部、７９・・上開口部。
【図１】
0004253879.tif 000002
【図２】
0004253879.tif 000003
【図３】
0004253879.tif 000004
【図４】
0004253879.tif 000005
【図５】
0004253879.tif 000006
【図６】
0004253879.tif 000007
【図７】
0004253879.tif 000008
【図８】
0004253879.tif 000009
【図９】
0004253879.tif 000010